(57)【要約】【課題】防水ケースの外表面に貼り付けられているネームプレートや呼吸フィルタ等のシート状部材が、洗浄機等からの高圧噴流によって剥がれてしまうことを効果的に防止できるようにされた電子制御装置を提供する。【解決手段】電子部品が実装された回路基板１７と、該回路基板１７等が収容される防水ケース１１とを備え、防水ケース１１の外表面１４Ａに、ネームプレートや呼吸フィルタ等のシート状部材２０が貼り付けられるとともに、洗浄機等からの高圧噴流によるシート状部材２０の剥がれを防止すべく、その外表面１４Ａにおける前記シート状部材２０が貼り付けられる部分乃至その周りに、凹部２２や凸部等の防護手段が講じられている。【選択図】図１
2009006808.tif 000002
【特許請求の範囲】
【請求項１】
電子部品が実装された回路基板と、該回路基板等が収容される防水ケースとを備え、前記防水ケースの外表面に、ネームプレートや呼吸フィルタ等のシート状部材が貼り付けられている電子制御装置であって、
洗浄機等からの高圧噴流による前記シート状部材の剥がれを防止すべく、前記防水ケースの外表面における前記シート状部材が貼り付けられる部分乃至その周りに防護手段が講じられていることを特徴とする電子制御装置。
【請求項２】
前記防護手段は、前記シート状部材が貼り付けられる面を底面とする凹部で構成されていることを特徴とする請求項１に記載の電子制御装置。
【請求項３】
前記防護手段としての凹部は、前記シート状部材の反貼り付け面が前記防水ケースの外表面より低くなるように、その深さが設定されていることを特徴とする請求項２に記載の電子制御装置。
【請求項４】
前記防護手段は、前記シート状部材を包囲するように前記防水ケースの外表面に突設された環状凸部で構成されていることを特徴とする請求項１に記載の電子制御装置。
【請求項５】
前記防護手段としての環状凸部は、該環状凸部の突出端面より前記シート状部材の反貼り付け面が低くなるように、その突出高さが設定されていることを特徴とする請求項４に記載の電子制御装置。
【請求項６】
電子部品が実装された回路基板等を収容するための防水ケースであって、
その外表面に、ネームプレートや呼吸フィルタ等のシート状部材が貼り付けられるとともに、洗浄機等からの高圧噴流による前記シート状部材の剥がれを防止すべく、その外表面における前記シート状部材が貼り付けられる部分乃至その周りに、凹部や凸部等の防護手段が講じられていることを特徴とする防水ケース。
【発明の詳細な説明】
【技術分野】
【０００１】
本発明は、電子部品が実装された回路基板等が収容される防水ケースを備え、この防水ケースの外表面に、ネームプレートや呼吸フィルタ等のシート状部材が貼り付けられている電子制御装置に関する。
【背景技術】
【０００２】
車輌のエンジンや変速機等の制御を行う車載電子制御装置、特に、洗車時に、高圧洗浄機により高圧の圧力噴流（ウォータージェット等の高圧噴流）で洗浄されるエンジンルーム等に設置される電子制御装置は、通常、図７に符号１０Ｚで例示される如くに、電子部品が実装された回路基板１７等が収容される防水ケース１１（ここでは、ベース１２とカバーケース１４で構成されている）を備えているが、この防水ケース１１の外表面に、当該電子制御装置の固有の情報（型式、ロット番号、シリアル番号等）を記したネームプレート（印刷ラベル）２０や、例えば下記特許文献１、２等にも見られるように、通気性を有するが水等の液体は通さない呼吸フィルタ等を接着剤で貼り付けているものが知られている（詳細は後述の実施形態を参照）。
【０００３】
【特許文献１】特開2005-150376号公報
【特許文献２】特開2005-129861号公報
【発明の開示】
【発明が解決しようとする課題】
【０００４】
前記のように、防水ケース１１の外表面に、ネームプレートや呼吸フィルタ等のシート状部材を接着剤で貼り付けているものでは、洗車時に、洗浄機からの高圧噴流がそのシート状部材の外周端面に直接当たると、図８（ネームプレート２０を例示）に示される如くに、その当たった外周端面２０ａ部分（の下端）を始端として捲れるように剥がれ始め、一旦剥がれ始めると、高圧噴流Ｗｊがシート状部材２０の裏面（貼り付け面）側にも当たるので、剥がれ部分が急激に全体に広がり、終いには全体が剥がれ飛んでしまうことがある。
【０００５】
このように、シート状部材が高圧噴流によって剥がれ飛んでしまうと、シート状部材がネームプレートである場合には、電子制御装置の固有の情報が取得できず、ディーラー等で情報を入手することが困難になってしまう。また、シート状部材が呼吸フィルタである場合には、防水ケース内に水等が侵入し、内蔵されている回路基板等において短絡が生じたり、基板に搭載されている電子部品が故障したりするおそれがある。
【０００６】
本発明は、前記した如くの問題を解消すべくなされたもので、その目的とするところは、防水ケースの外表面に貼り付けられているネームプレートや呼吸フィルタ等のシート状部材が、洗浄機等からの高圧噴流によって剥がれてしまうことを効果的に防止できるようにされた電子制御装置を提供することにある。
【課題を解決するための手段】
【０００７】
前記目的を達成すべく、本発明に係る電子制御装置は、基本的には、電子部品が実装された回路基板と、該回路基板等が収容される防水ケースとを備え、前記防水ケースの外表面に、ネームプレートや呼吸フィルタ等のシート状部材が貼り付けられる。
【０００８】
そして、洗浄機等からの高圧噴流による前記シート状部材の剥がれを防止すべく、前記防水ケースの外表面における前記シート状部材が貼り付けられる部分乃至その周りに防護手段が講じられていることを特徴としている。
【０００９】
好ましい態様では、前記防護手段は、前記シート状部材が貼り付けられる面を底面とする凹部で構成される。
【００１０】
この場合、前記凹部は、好ましくは、前記シート状部材の反貼り付け面が前記防水ケースの外表面より低くなるように、その深さが設定される。
【００１１】
他の好ましい態様では、前記防護手段は、前記シート状部材を包囲するように前記防水ケースの外表面に突設された環状凸部で構成される。
【００１２】
この場合、前記環状凸部は、好ましくは、該環状凸部の突出端面より前記シート状部材の反貼り付け面が低くなるように、その突出高さが設定される。
【００１３】
本発明に係る防水ケースは、電子部品が実装された回路基板等を収容するためのもので、その外表面に、ネームプレートや呼吸フィルタ等のシート状部材が貼り付けられるとともに、洗浄機等からの高圧噴流による前記シート状部材の剥がれを防止すべく、その外表面における前記シート状部材が貼り付けられる部分乃至その周りに、凹部や凸部等の防護手段が講じられていることを特徴としている。
【発明の効果】
【００１４】
本発明に係る電子制御装置では、防水ケースの外表面における、ネームプレートや呼吸フィルタ等のシート状部材が貼り付けられる部分乃至その周りに、凹部や環状凸部等の防護手段が講じられているので、洗浄機等からの高圧噴流がシート状部材の外周端面に当たりにくくなる。
【００１５】
この場合、高圧噴流によるシート状部材剥がし力は、圧力（衝突速度）が同じであれば、防水ケース外表面に対する入射角度が小さいほど（水平に近いほど）大きくなる傾向があり、入射角度が直角に近いと、さほど大きな剥がし力は生じない。したがって、前記凹部の深さや前記環状凸部の突出高さ等を適切に設定すれば、剥がし力が大なる入射角度の小さい（例えば入射角度が６０度以下の）高圧噴流は、シート状部材の外周端面に当たる前に、防水ケースの外表面や前記環状凸部等に当たって、シート状部材の外周端面には届かず、また、剥がし力が小なる入射角度の大きい高圧噴流は、前記凹部側面とシート状部材の外周端面との間の隙間や前記環状凸部の内側面とシート状部材の外周端面との間の隙間に侵入するが、その剥がし力は小さく、ほとんど影響はない。
【００１６】
よって、本発明によれば、防水ケースの外表面に貼り付けられているネームプレートや呼吸フィルタ等のシート状部材が、洗浄機等からの高圧噴流によって剥がれてしまうことを効果的に防止でき、その結果、電子制御装置及び防水ケースの信頼性、商品価値を高めることができる。
【発明を実施するための最良の形態】
【００１７】
以下、本発明の電子制御装置の実施の形態を図面を参照しながら説明する。
図１は、それぞれ本発明に係る電子制御装置の一実施形態（第１実施例）を示す図である。なお、図１において、前述した図７に示される従来例の電子制御装置１０Ｚの各部と同一構成ないし同一機能を有する部分には同一の符号が付されている。
【００１８】
図示実施形態の電子制御装置１０Ａは、車輌のエンジンルームに設置されるエンジン制御用のもので、例えばアルミダイカスト製で所要の防水シール性を持つ防水ケース１１を備えている。該防水ケース１１は、ベース１２と該ベース１２上にビス１６止めされた逆皿形状のカバーケース１４とからなる平面視矩形の薄箱状となっている。この防水ケース１１内には、エンジン制御用の回路基板１７等が収容されている。該回路基板１７は、複数本の支柱１９上に保持されている。
【００１９】
前記防水ケース１１の一側面には、前記回路基板１７と外部の機器（各種センサやアクチュエータ類）との信号のやりとりを行うためのコネクタ１８が付設されている。このコネクタ１８には、車体内に引き廻されたハーネスが接続される。
【００２０】
前記回路基板１７には、エンジン制御用の電子部品（コンピュータ部品）が搭載されるとともに所定の配線パターンが形成されている。具体的には、図９に回路構成が模式的に示されているように、相互にバス接続されたＣＰＵ１０１、ＲＯＭ１０２、ＲＡＭ１０３、及び入出力ポート１０４と、クランク角センサや水温センサ等の各種センサ類からの検出信号が前記コネクタ１８を介して入力される入力回路１０５と、点火出力回路１１１や噴射弁駆動回路１１２等の各種アクチュエータ駆動回路と、を有し、前記点火出力回路１１１や噴射弁駆動回路１１２等の各種アクチュエータ駆動回路からは、点火プラグ１２１や燃料噴射弁１２２等の各種アクチュエータに、前記コネクタ１８を介して所定のタイミングで駆動制御信号が出力されるようになっている。
【００２１】
そして、本第１実施例では、前記防水ケース１１におけるカバーケース１４の外表面（上面１４Ａ）に、当該電子制御装置１０Ａの固有の情報（型式、ロット番号、シリアル番号等）を記した矩形シート状のネームプレート２０を接着剤で貼り付けるようになっているとともに、洗浄機等からの高圧噴流による前記ネームプレート２０の剥がれを防止する防護手段として、カバーケース１４の上面１４Ａにおけるネームプレート２０を貼り付けるべき部分に、該ネームプレート２０が貼り付けられる面を底面２２ａとする断面矩形ないし逆台形状で平面視が当該ネームプレート２０より若干大きい矩形状の凹部２２が設けられている。
【００２２】
この凹部２２は、図１（Ｃ）の○で囲まれた部分（１ｄ）を拡大して示す図１（Ｄ）を参照すればよくわかるように、ネームプレート２０の反貼り付け面（上面）がカバーケース１４の上面１４Ａより所定長α低くなるように、その深さが設定されている。
【００２３】
このように、カバーケース１４の上面１４Ａにおける、ネームプレート２０を貼り付けるべき部分に、所定の深さの凹部２２を設け、この凹部２２の底面２２ａにネームプレート２０を接着剤で貼り付けることにより、洗浄機等からの高圧噴流Ｗｊが当該ネームプレート２０の外周端面２０ａに当たりにくくなる。
【００２４】
この場合、高圧噴流による当該プレート２０の剥がし力は、圧力（衝突速度）が同じであれば、図２に示される如くに、カバーケース１４の上面１４Ａに対する入射角度θｉ（図には外周端面２０ａに向かう噴流部分の入射角度が示されている）が小さいほど（水平に近いほど）、大きくなる傾向があり、入射角度θｉが直角に近いと、さほど大きな剥がし力は生じない。
【００２５】
したがって、前記凹部２２の深さ等を適切に設定すれば、剥がし力が大なる入射角度θｉの小さい（例えば入射角度θｉが６０度以下の）高圧噴流Ｗｊは、ネームプレート２０の外周端面２０ａに当たる前に、カバーケース１４の上面１４Ａに当たって、ネームプレート２０の外周端面２０ａには届かず、また、剥がし力が小なる入射角度θｉの大きい高圧噴流Ｗｊは、前記凹部２２の側面とネームプレート２０の外周端面２０ａとの間の隙間に侵入するが、その剥がし力は小さく、ほとんど影響はない。
【００２６】
よって、本第１実施例の電子制御装置１０Ａでは、防水ケース１１の外表面に貼り付けられているネームプレート２０が、洗浄機等からの高圧噴流Ｗｊによって剥がれてしまうことを効果的に防止でき、その結果、電子制御装置１０Ａ及び防水ケース１１の信頼性、商品価値を高めることができる。
【００２７】
図３は、本発明に係る電子制御装置の第２実施例を示している。
本第２実施例の電子制御装置１０Ｂでは、洗浄機等からの高圧噴流による前記ネームプレート２０の剥がれを防止する防護手段として、カバーケース１４の上面１４Ａにおけるネームプレート２０を貼り付けるべき部分の周りに環状凸部２４が突設されている。他の構成は、前記した第１実施例と略同じである。
【００２８】
前記環状凸部２４は、ネームプレート２０を包囲するように、断面矩形ないし台形状で平面視が当該ネームプレート２０より若干大きい矩形環状とされている。
【００２９】
また、環状凸部は２４は、図３（Ｃ）の○で囲まれた部分（３ｄ）を拡大して示す図３（Ｄ）を参照すればよくわかるように、該環状凸部２４の突出端面（上端面）よりネームプレート２０の反貼り付け面（上面）が低くなるように、その突出高さが設定されている。
【００３０】
このように、カバーケース１４の上面１４Ａにおける、ネームプレート２０を貼り付けるべき部分の周りに、所定の突出高さの環状凸部２４を設け、この環状凸部２４の内周側の前記上面１４Ａ部分に、ネームプレート２０を接着剤で貼り付けることにより、洗浄機等からの高圧噴流Ｗｊが当該ネームプレート２０の外周端面２０ａに当たりにくくなる。
【００３１】
この場合、高圧噴流による当該プレート２０の剥がし力は、圧力（衝突速度）が同じであれば、図４に示される如くに、カバーケース１４の上面１４Ａに対する入射角度θｉ（図には外周端面２０ａに向かう噴流部分の入射角度が示されている）が小さいほど（水平に近いほど）、大きくなる傾向があり、入射角度θｉが直角に近いと、さほど大きな剥がし力は生じない。
【００３２】
したがって、前記環状凸部２４の突出高さ等を適切に設定すれば、剥がし力が大なる入射角度θｉの小さい（例えば入射角度θｉが６０度以下の）高圧噴流Ｗｊは、ネームプレート２０の外周端面２０ａに当たる前に、環状凸部２４に当たって、ネームプレート２０の外周端面２０ａには届かず、また、剥がし力が小なる入射角度θｉの大きい高圧噴流Ｗｊは、前記環状凸部２４の内側面とネームプレート２０の外周端面２０ａとの間の隙間に侵入するが、その剥がし力は小さく、ほとんど影響はない。
【００３３】
よって、本第２実施例の電子制御装置１０Ｂにおいても、第１実施例と同様に、防水ケース１１の外表面に貼り付けられているネームプレート２０が、洗浄機等からの高圧噴流Ｗｊによって剥がれてしまうことを効果的に防止でき、その結果、電子制御装置１０Ａ及び防水ケース１１の信頼性、商品価値を高めることができる。
【００３４】
図５は、本発明に係る電子制御装置の第３実施例を示している。
本第３実施例の電子制御装置１０Ｃでは、カバーケース１４の上面１４Ａに、円形の通気口２８（主として、ＣＰＵ等の電子部品の発熱による内部の熱気を外部に逃がすためのもの）が形成されるとともに、この通気口２８を上から覆うように、通気性を有するが水等の液体は通さない呼吸フィルタ３０が接着剤で貼り付けられるようになっている。
【００３５】
そして、洗浄機等からの高圧噴流による前記呼吸フィルタ３０の剥がれを防止する防護手段として、カバーケース１４の上面１４Ａにおける呼吸フィルタ３０を貼り付けるべき部分に、該呼吸フィルタ３０が貼り付けられる面を底面２６ａとする断面矩形ないし逆台形状で平面視が当該呼吸フィルタ３０より若干大きい矩形状の凹部２６が設けられている。
【００３６】
この凹部２６は、図５（Ｃ）の○で囲まれた部分（５ｄ）を拡大して示す図５（Ｄ）を参照すればよくわかるように、呼吸フィルタ３０の反貼り付け面（上面）がカバーケース１４の上面１４Ａより所定長γ低くなるように、その深さが設定されている。
【００３７】
このように、カバーケース１４の上面１４Ａにおける、呼吸フィルタ３０を貼り付けるべき部分に、所定の深さの凹部２６を設け、この凹部２６の底面２６ａに呼吸フィルタ３０を接着剤で貼り付けることにより、第１実施例と同様に、洗浄機等からの高圧噴流Ｗｊが当該呼吸フィルタ３０の外周端面３０ａに当たりにくくなり（図６参照）、そのため、防水ケース１１の外表面に貼り付けられている呼吸フィルタ３０が、洗浄機等からの高圧噴流Ｗｊによって剥がれてしまうことを効果的に防止でき、その結果、電子制御装置１０Ｃ及び防水ケース１１の信頼性、商品価値を高めることができる。
【図面の簡単な説明】
【００３８】
【図１】本発明に係る電子制御装置の一実施形態（第１実施例）を示し、（Ａ）は平面図、（Ｂ）は後面図、（Ｃ）は（Ａ）の１ｃ−１ｃ矢視断面図、（Ｄ）は（Ｃ）の○で囲まれた部分（１ｄ）の拡大図。
【図２】図１に示される電子制御装置の防水ケースの作用効果の説明に供される部分拡大図。
【図３】本発明に係る電子制御装置の第２実施例を示し、（Ａ）は平面図、（Ｂ）は後面図、（Ｃ）は（Ａ）の３ｃ−３ｃ矢視断面図、（Ｄ）は（Ｃ）の○で囲まれた部分（３ｄ）の拡大図。
【図４】図３に示される電子制御装置の防水ケースの作用効果の説明に供される部分拡大図。
【図５】本発明に係る電子制御装置の第３実施例を示し、（Ａ）は平面図、（Ｂ）は後面図、（Ｃ）は（Ａ）の５ｃ−５ｃ矢視断面図、（Ｄ）は（Ｃ）の○で囲まれた部分（５ｄ）の拡大図。
【図６】図５に示される電子制御装置の防水ケースの作用効果の説明に供される部分拡大図。
【図７】従来の電子制御装置の一例を示し、（Ａ）は平面図、（Ｂ）は後面図、（Ｃ）は（Ａ）の７ｃ−７ｃ矢視断面図、（Ｄ）は（Ｃ）の○で囲まれた部分（７ｄ）の拡大図。
【図８】図７に示される電子制御装置の防水ケースの作用効果の説明に供される部分拡大図。
【図９】図１、図３、図５、及び図７に示される回路基板の回路構成を模式的に示すブロック図。
【符号の説明】
【００３９】
１０Ａ、１０Ｂ、１０Ｃ  …電子制御装置
１１  …防水ケース
１２  …ベース
１４  …カバーケース
１４Ａ…上面
１７  …回路基板
２０  …ネームプレート
２２  …凹部
２４  …環状凸部
２６  …凹部
２８  …通気口
３０  …呼吸フィルタ
【図１】
2009006808.tif 000003
【図２】
2009006808.tif 000004
【図３】
2009006808.tif 000005
【図４】
2009006808.tif 000006
【図５】
2009006808.tif 000007
【図６】
2009006808.tif 000008
【図７】
2009006808.tif 000009
【図８】
2009006808.tif 000010
【図９】
2009006808.tif 000011